(57)【要約】【課題】セキュリティを高めることができる画像出力装置、システム及びプログラムを提供することを課題とする。【解決手段】画像を出力する画像出力装置１０であって、出力を制限する登録画像が記憶されている記憶部１３から読み出した登録画像と、出力要求のあった画像とを比較する比較手段１４と、比較結果が登録画像と出力要求のあった画像との一致を示すとき、出力要求のあった画像に含まれる登録画像が読み取れないように加工する加工手段１５と、加工後の出力要求のあった画像を出力する出力手段１６とを有することにより、上記課題を解決する。【選択図】図４
2013195913.tif 000002
【特許請求の範囲】
【請求項１】
画像を出力する画像出力装置であって、
出力を制限する登録画像が記憶されている記憶部から読み出した前記登録画像と、出力要求のあった画像とを比較する比較手段と、
比較結果が前記登録画像と前記出力要求のあった画像との一致を示すとき、前記出力要求のあった画像に含まれる前記登録画像が読み取れないように加工する加工手段と、
加工後の前記出力要求のあった画像を出力する出力手段と
を有する画像出力装置。
【請求項２】
前記加工手段は、前記出力要求のあった画像に含まれる前記登録画像の部分を隠すように別の画像を重ね合わせて合成すること
を特徴とする請求項１記載の画像出力装置。
【請求項３】
前記加工手段は、前記出力要求のあった画像に含まれる前記登録画像の部分をぼかすように画像処理を行うこと
を特徴とする請求項１記載の画像出力装置。
【請求項４】
前記加工手段は、前記出力要求のあった画像に含まれる前記登録画像の部分を表示しないこと
を特徴とする請求項１記載の画像出力装置。
【請求項５】
前記加工手段は、比較結果が前記登録画像と前記出力要求のあった画像との一致を示すとき、前記出力要求のあった画像全体が読み取れないように加工すること
を特徴とする請求項１乃至４何れか一項記載の画像出力装置。
【請求項６】
前記登録画面の設定登録を利用者から受け付ける設定登録手段
を更に有すること
を特徴とする請求項１乃至５何れか一項記載の画像出力装置。
【請求項７】
前記画像出力装置は、画像投影装置であること
を特徴とする請求項１乃至６何れか一項記載の画像出力装置。
【請求項８】
画像の出力を要求する端末装置と、前記端末装置から出力の要求があった前記画像を出力する画像出力装置とを有するシステムであって、
前記端末装置は、
前記画像の出力を前記画像出力装置に要求する出力要求手段
を有し、
前記画像出力装置は、
出力を制限する登録画像が記憶されている記憶部から読み出した前記登録画像と、前記端末装置から出力要求のあった画像とを比較する比較手段と、
比較結果が前記登録画像と前記出力要求のあった画像との一致を示すとき、前記出力要求のあった画像に含まれる前記登録画像が読み取れないように加工する加工手段と、
加工後の前記出力要求のあった画像を出力する出力手段と
を有する
ことを特徴とするシステム。
【請求項９】
画像の出力を要求する端末装置と、前記端末装置から出力の要求があった前記画像を出力する画像出力装置とを有するシステムであって、
前記端末装置は、
出力を制限する登録画像が記憶されている記憶部から読み出した前記登録画像と、利用者から出力要求のあった画像とを比較する比較手段と、
比較結果が前記登録画像と前記出力要求のあった画像との一致を示すとき、前記出力要求のあった画像に含まれる前記登録画像が読み取れないように加工する加工手段と、
加工後の前記出力要求のあった画像の出力を前記画像出力装置に要求する出力要求手段と
を有し、
前記画像出力装置は、
前記端末装置から出力要求のあった前記画像を出力する出力手段
を有する
ことを特徴とするシステム。
【請求項１０】
画像を出力する画像出力装置を、
出力を制限する登録画像が記憶されている記憶部から読み出した前記登録画像と、出力要求のあった画像とを比較する比較手段、
比較結果が前記登録画像と前記出力要求のあった画像との一致を示すとき、前記出力要求のあった画像に含まれる前記登録画像が読み取れないように加工する加工手段、
加工後の前記出力要求のあった画像を出力する出力手段
として機能させるためのプログラム。
【発明の詳細な説明】
【技術分野】
【０００１】
本発明は、画像出力装置、システム及びプログラムに関する。
【背景技術】
【０００２】
プロジェクタは会議、公演等で広く用いられている。プロジェクタはネットワーク経由で送信したＰＣの映像を投影する使い方が一般的になってきている。ところで、ＰＣはセキュリティが重要視されるようになってきているため、操作を一定時間しないとロックが掛かるものが知られている。
【０００３】
会議等で議論が始まると、ＰＣは操作されなくなり、ロックが掛かる。ＰＣのロックを解除するためには例えばユーザＩＤ、パスワード等の入力が必要である。このときＰＣとプロジェクタとは接続されているため、ユーザＩＤ、パスワード等の入力中も、その様子が投影されてしまう。
【０００４】
例えばパスワードは入力欄で＊などに変換されることが多いが、＊の数で文字数が判別されてしまう。ユーザＩＤ、パスワード等の文字数はＰＣのロックを破るヒントを与えてしまう。また、パスワードを誤って、ユーザＩＤの入力欄に入力してしまうと、パスワードは入力欄で＊などに変換されず、そのまま投影されてしまう。
【０００５】
なお、ユーザＩＤ、パスワード等が投影される場合にはＰＣからプロジェクタへの出力を止めればよいが、忘れてしまったり、面倒に感じてやらなかったりする。そこで、人手を介さずプロジェクタからＰＣに一定の間隔で信号を送ることで、ＰＣにロックがかかることを防止する映像投影装置は既に知られている（例えば特許文献１参照）。
【発明の概要】
【発明が解決しようとする課題】
【０００６】
しかしながら、ＰＣは最初に電源を入れたとき、別のアプリケーション等でログインするとき、ネットワークに接続するときなど、ロックを解除するとき以外にもデスクトップ上に重要な情報が表示される。このときＰＣとプロジェクタとが接続されていれば、デスクトップ上の重要な情報は投影されてしまい、セキュリティが低下してしまうという問題があった。
【０００７】
本発明は、上記の点に鑑みなされたもので、セキュリティを高めることができる画像出力装置、システム及びプログラムを提供することを目的とする。
【課題を解決するための手段】
【０００８】
上記目的を達成するため、本願請求項１は、画像を出力する画像出力装置であって、出力を制限する登録画像が記憶されている記憶部から読み出した前記登録画像と、出力要求のあった画像とを比較する比較手段と、比較結果が前記登録画像と前記出力要求のあった画像との一致を示すとき、前記出力要求のあった画像に含まれる前記登録画像が読み取れないように加工する加工手段と、加工後の前記出力要求のあった画像を出力する出力手段とを有することを特徴とする。
【発明の効果】
【０００９】
本発明によれば、セキュリティを高めることができる画像出力装置、システム及びプログラムを提供できる。
【図面の簡単な説明】
【００１０】
【図１】本実施形態に係る投影システムの一例の構成図である。
【図２】本実施形態に係る画像投影装置の一例のハードウェア構成図である。
【図３】本実施形態に係る端末装置の一例のハードウェア構成図である。
【図４】本実施形態に係る投影システムの一例の処理ブロック図である。
【図５】本実施形態に係る投影システムの投影制限パターン登録処理の流れを表した一例のシーケンス図である。
【図６】本実施形態に係る投影システムの投影処理の流れを表した一例のフローチャート図である。
【図７】投影制限パターン登録画面の一例のイメージ図である。
【図８】重要な情報が読み取れないように加工された画像投影装置による投影画面の一例のイメージ図である。
【図９】重要な情報が読み取れる端末装置の表示画面の一例のイメージ図である。
【図１０】本実施形態に係る投影システムの他の例の処理ブロック図である。
【図１１】本実施形態に係る投影システムの他の例の処理ブロック図である。
【発明を実施するための形態】
【００１１】
次に、本発明の実施の形態について、詳細に説明する。
［第１の実施形態］
＜システム構成＞
図１は本実施形態に係る投影システムの一例の構成図である。投影システム１は画像投影装置１０、端末装置２０及びネットワークＮ１を有する構成である。画像投影装置１０は画像出力装置の一例である。画像出力装置は画像を出力できるものであればよく、画像を投影面上に投影するプロジェクタなどの画像投影装置１０の他、画像を表示面上に表示する画像表示装置も含まれる。
【００１２】
画像投影装置１０はインターネットやＬＡＮなどのネットワークＮ１を介して端末装置２０と通信可能に接続されている。端末装置２０は画像投影装置１０に画像の投影を要求できるものであればよく、ＰＣやスマートフォン、携帯電話、タブレットＰＣ、ＰＤＡ（Personal Digital Assistance）など、何れの形態であってもよい。ネットワークＮ１は有線通信／無線通信の何れかであっても、両方を含むものであってもよい。
【００１３】
端末装置２０は画像投影装置１０に画像を投影させる場合、ネットワークＮ１経由で画像投影装置１０に投影要求を行う。画像投影装置１０は、投影要求に応じた画像を投影面上に投影する。画像投影装置１０は投影要求に応じた画像を投影するとき、投影することが望ましくない情報（重要な情報）が含まれていれば、その重要な情報が読み取れないように加工する。投影することが望ましくない情報（重要な情報）は、例えばユーザＩＤやパスワード、ＩＰアドレス、機密資料などである。
【００１４】
重要な情報が含まれているか否かの判定は、予め重要な情報が含まれる領域又は入力欄の画像（登録画像）を記憶しておき、投影要求に応じた画像（受信画像）に登録画像が含まれているか否かにより行う。重要な情報が読み取れないようにする加工は、例えば別の画像を重ね合わせる、表示しない、ぼかす等の画像処理である。
【００１５】
なお、図１の投影システム１は１台の画像投影装置１０及び１台の端末装置２０が含まれる例を表している。むろん、投影システム１は複数台の画像投影装置１０や複数台の端末装置２０が含まれてもよい。また、図１の投影システム１は画像投影装置１０と端末装置２０とを一体の構成としてもよい。また、図１の投影システム１は画像投影装置１０で行う一部の処理を他のサーバ装置などで行ってもよい。
【００１６】
＜ハードウェア構成＞
《画像投影装置１０》
図２は、本実施形態に係る画像投影装置の一例のハードウェア構成図である。図２の画像投影装置１０は、バスＢで相互に接続されているＲＡＭ５１、ＣＰＵ５２、フラッシュメモリ５３、通信Ｉ／Ｆ５４、ＥＥＰＲＯＭ５５、操作部５６、映像入力部５７、映像出力部５８、ランプ５９を有する構成である。
【００１７】
ＲＡＭ５１、ＣＰＵ５２、フラッシュメモリ５３、ＥＥＰＲＯＭ５５、操作部５６、映像入力部５７、映像出力部５８、ランプ５９は、基本的な投影機能を実現する部分の一例である。通信Ｉ／Ｆ５４は端末装置２０との連携に利用される。
【００１８】
操作部５６は人（利用者）からの操作を受け付ける。通信Ｉ／Ｆ５４はＬＡＮカードなどである。通信Ｉ／Ｆ５４はネットワークＮ１に接続するために用いられる。映像入力部５７は映像の入力を受け付ける。映像出力部５８は映像の出力を行う。映像出力部５８は例えば液晶プロジェクタの場合、液晶表示装置である。ランプ５９は光を発する。ランプ５９の発する光は映像出力部５８を透過し、投射レンズ（図示せず）を介して投影面に投影される。投影面には映像出力部５８に表示された画像が拡大されて表示される。
【００１９】
フラッシュメモリ５３、ＥＥＰＲＯＭ５５はプログラム、必要なファイル、データ等を格納する。ＲＡＭ５１は画像投影装置１０の起動時にフラッシュメモリ５３、ＥＥＰＲＯＭ５５からプログラムを読み出して格納する。ＣＰＵ５２はＲＡＭ５１に格納されたプログラムに従って各種処理ブロックを実現する。
【００２０】
《端末装置２０》
端末装置２０は例えば図３に示すハードウェア構成により実現される。図３は本実施形態に係る端末装置の一例のハードウェア構成図である。図３の端末装置２０は、入力装置１０１、表示装置１０２、外部Ｉ／Ｆ１０３、ＲＡＭ１０４、ＲＯＭ１０５、ＣＰＵ１０６、通信Ｉ／Ｆ１０７及びＨＤＤ１０８などを備え、それぞれがバスＢで相互に接続されている。
【００２１】
入力装置１０１はキーボードやマウスなどを含み、端末装置２０に各操作信号を入力するのに用いられる。表示装置１０２はディスプレイなどを含み、端末装置２０による処理結果を表示する。
【００２２】
通信Ｉ／Ｆ１０７は端末装置２０をネットワークＮ１に接続するインターフェースである。これにより、端末装置２０は通信Ｉ／Ｆ１０７を介して、画像投影装置１０とデータ通信を行うことができる。
【００２３】
ＨＤＤ１０８は、プログラムやデータを格納している不揮発性の記憶装置である。格納されるプログラムやデータには、端末装置２０全体を制御する基本ソフトウェアであるＯＳ（Operating System）、及びＯＳ上において各種機能を提供するアプリケーションソフトウェアなどがある。また、ＨＤＤ１０８は格納しているプログラムやデータを、所定のファイルシステム及び／又はＤＢ（Data Base）により管理している。
【００２４】
外部Ｉ／Ｆ１０３は、外部装置とのインターフェースである。外部装置には、記録媒体１０３ａなどがある。これにより、端末装置２０は外部Ｉ／Ｆ１０３を介して、記録媒体１０３ａの読み取り及び／又は書き込みを行うことができる。記録媒体１０３ａにはフレキシブルディスク、ＣＤ、ＤＶＤ（Digital Versatile Disk）、ＳＤメモリカード（SD Memory card）、ＵＳＢメモリ（Universal Serial Bus memory）等がある。
【００２５】
ＲＯＭ１０５は、電源を切ってもプログラムやデータを保持することができる不揮発性の半導体メモリ（記憶装置）である。ＲＯＭ１０５には、端末装置２０の起動時に実行されるＢＩＯＳ（Basic Input/Output System）、ＯＳ設定、及びネットワーク設定などのプログラムやデータが格納されている。ＲＡＭ１０４は、プログラムやデータを一時保持する揮発性の半導体メモリ（記憶装置）である。
【００２６】
ＣＰＵ１０６は、ＲＯＭ１０５やＨＤＤ１０８などの記憶装置からプログラムやデータをＲＡＭ１０４上に読み出し、処理を実行することで、端末装置２０全体の制御や機能を実現する演算装置である。
【００２７】
本実施形態に係る端末装置２０は、上記ハードウェア構成により、後述するような各種処理を実現できる。
【００２８】
＜ソフトウェア構成＞
図１に示すような投影システム１の場合、画像投影装置１０及び端末装置２０は例えば図４に示すような処理ブロックで実現される。図４は本実施形態に係る投影システムの一例の処理ブロック図である。
【００２９】
《画像投影装置１０》
画像投影装置１０はプログラムを実行することで、通信部１１、設定登録部１２、記憶部１３、比較部１４、合成部１５、投影部１６、生成部１７を実現している。通信部１１はネットワークＮ１を介して端末装置２０と通信可能に接続する。設定登録部１２は端末装置２０からの設定要求に応じて、投影することが望ましくない情報が含まれる画像を投影制限パターンとして登録する。投影制限パターンとは、重要な情報が含まれる画像又は重要な情報が入力される入力欄の画像など、投影を制限する画像パターンである。投影制限パターンには位置情報が含まれていてもよい。
【００３０】
記憶部１３は投影制限パターンを記憶する。記憶部１３は投影制限パターンを複数記憶することができる。比較部１４は端末装置２０からの投影要求に応じて、端末装置２０から受信した受信画像と、記憶部１４に記憶されている投影制限パターン（登録画像）とが一致するか否かを判定する。比較部１４による受信画像と登録画像との比較は、例えば端末装置２０の表示装置１０２に表示されている画面が変化したときに行われる。
【００３１】
合成部１５は比較部１４による比較結果が受信画像と登録画像との一致を示すとき、受信画像に重要な情報が含まれているか、これから重要な情報が入力される入力欄が含まれていると見なして、受信画像に含まれる重要な情報、又は、これから入力欄に入力される重要な情報が読み取れないように、受信画像を加工する。
【００３２】
重要な情報が読み取れないようにする受信画像の加工は、例えば登録画像と一致した位置に別の画像を重ね合わせる、表示しない、ぼかす等の画像処理である。なお、重要な情報が読み取れないようにする受信画像の加工は、重要な情報が読み取れないように加工できれば、登録画像との比較を行った領域と一致しなくてもよい。
【００３３】
投影部１６は投影画像の画像データを読み出し、投影デバイスを使って光（信号）に変換して投影画像を投影する（映し出す）。生成部１７は端末装置２０から受信した受信画像又は合成部１５によって加工された受信画像から投影画像の画像データを生成する。
【００３４】
《端末装置２０》
端末装置２０はプログラムを実行することで、通信部２１、設定要求部２２、記憶部２３、投影要求部２４を実現している。通信部２１はネットワークＮ１を介して画像投影装置１０と通信可能に接続する。設定要求部２２は画像投影装置１０に設定要求を行い、投影することが望ましくない情報が含まれる画像を投影制限パターンとして登録させる。記憶部２３は画像投影装置１０に投影させる画像、投影制限パターンを記憶する。投影要求部２４は画像投影装置１０に画像の投影要求を行う。
【００３５】
＜処理の詳細＞
以下では、本実施形態に係る投影システム１の処理の詳細について説明する。
【００３６】
《投影制限パターン登録処理》
図５は本実施形態に係る投影システムの投影制限パターン登録処理の流れを表した一例のシーケンス図である。ステップＳ１において、端末装置２０は画像投影装置１０に投影制限パターンの設定要求を行う。ステップＳ２において、画像投影装置１０は投影制限パターンの設定要求を受け付け可能であれば、ＯＫを応答する。
【００３７】
ステップＳ３において、端末装置２０は例えば図７に示すような投影制限パターン登録画面から投影制限パターンの指定を利用者から受け付ける。図７は投影制限パターン登録画面の一例のイメージ図である。図７の投影制限パターンは重要な情報が入力される入力欄の画像の一例としてユーザＩＤ、パスワードの入力欄を示している。例えば図７の例ではユーザＩＤ、パスワードの入力欄を囲んだ枠内の画像が投影制限パターンとして指定されている。
【００３８】
なお、端末装置２０は利用者にマウス等の操作で投影制限パターンを指定させるようにしてもよいし、予め記憶部２３に記憶しておいた投影制限パターンから選択させるようにしてもよい。例えばＯＳやアプリケーションなどのユーザＩＤ、パスワードの入力欄は予め記憶部２３に記憶しておいてもよい。
【００３９】
端末装置２０は投影制限パターンとして画像（画像データ）と位置情報（Ｘ座標、Ｙ座標）とを画像投影装置１０に送信する。位置情報は画像の各頂点の座標であっても、何れか一つの頂点の座標であっても、座標と大きさとの組み合わせであってもよい。
【００４０】
ステップＳ４において、画像投影装置１０は端末装置２０から受信した画像と位置情報とを関連付けて、記憶部１３に投影制限パターンとして記憶する。そして、ステップＳ５において、画像投影装置１０は端末装置２０に投影制限パターンの登録完了を応答する。
【００４１】
《投影処理》
図６は本実施形態に係る投影システムの投影処理の流れを表した一例のフローチャート図である。なお、画像投影装置１０は投影制限パターンの投影を制限する機能を有効／無効に切り換えることができる。以下では、投影制限パターンの投影を制限する機能が有効であるときの処理について説明する。
【００４２】
ステップＳ１１において、画像投影装置１０は端末装置２０から画像の投影要求を受信する。ステップＳ１２において、画像投影装置１０は記憶部１３から投影制限パターンとして登録画像を読み出す。なお、投影制限パターンは前述したように位置情報を含むものであってもよい。
【００４３】
ステップＳ１３において、画像投影装置１０は端末装置２０から投影要求のあった受信画像と、ステップＳ１２で記憶部１３から読み出した登録画像とを比較し、一致するか否かを判定する。なお、ステップＳ１３における比較は、投影制限パターンが位置情報を含むものであれば、位置情報により指定された領域を比較する。投影制限パターンが位置情報を含むものでなければ、画像投影装置１０は登録画像を受信画像上でずらしながら比較していく。ステップＳ１３では、受信画像と登録画像とを比較するとき、画像の回転、拡大、縮小、鏡像反転などを行ってもよい。
【００４４】
画像投影装置１０は比較結果が受信画像と登録画像との一致を示すとき、ステップＳ１４において、予め用意した画像を一致した受信画面の箇所に合成する。なお、予め用意した画像を一致した受信画面の箇所に合成する処理は、受信画像に含まれる重要な情報、又は、これから入力欄に入力される重要な情報が読み取れないように、受信画像を加工する処理の一例である。予め用意した画像は受信画像に含まれる重要な情報、又は、これから入力欄に入力される重要な情報が読み取れなければ、登録画像の大きさと異なっていてもよい。また、予め用意する画像は利用者に大きさを選ばせてもよい。ステップＳ１５において、画像投影装置１０はステップＳ１４で受信画像に予め用意した画像を合成した合成画像の画像データを読み出し、合成画像を投影する。
【００４５】
図８は重要な情報が読み取れないように加工された画像投影装置による投影画面の一例のイメージ図である。図８の投影画面は、重要な情報が入力される入力欄の画像の一例としてユーザＩＤ、パスワードの入力欄が塗りつぶされている例である。このとき、端末装置２０では図９に示すような表示画面が表示されている。図９は重要な情報が読み取れる端末装置の表示画面の一例のイメージ図である。図９に示すように、端末装置２０では重要な情報が入力される入力欄の画像の一例としてユーザＩＤ、パスワードの入力欄が塗りつぶされることなく、そのまま表示される。
【００４６】
一方、画像投影装置１０は比較結果が受信画像と登録画像との不一致を示すとき（Ｓ１３においてＮＯ）、ステップＳ１６において、次の登録画像が記憶部１３に記憶されているか否かを判定する。次の登録画像が記憶部１３に記憶されていれば、画像投影装置１０はステップＳ１２に戻り、処理を続ける。一方、次の登録画像が記憶部１３に記憶されていなければ、画像投影装置１０はステップＳ１７において、受信画像の画像データを読み出し、受信画像を投影する。
【００４７】
なお、図６の投影処理は例えば受信画像が切り替わったタイミングで行う。図６の投影処理は所定の時間間隔で行ってもよい。画像投影装置１０は所定の時間間隔で受信画像と登録画像との比較を行う場合、次に比較が行われるまで合成を継続する。
【００４８】
＜まとめ＞
第１の実施形態に係る投影システム１によれば、画像投影装置１０と端末装置２０とをネットワークＮ１で接続して、端末装置２０が出力する画像を画像投影装置１０に投影させる場合に、投影することが望ましくない情報を隠して投影できるので、画像投影装置１０を使用するときのセキュリティを高めることができる。
［第２の実施形態］
第１の実施形態は、利用者が端末装置２０から投影制限パターン登録処理を行う。第２の実施形態は、利用者が画像投影装置１０の例えば操作部５６から投影制限パターン登録処理を行うものである。第２の実施形態は、第１の実施形態と一部を除いて同様であるため、同一部分について説明を省略する。
【００４９】
＜ソフトウェア構成＞
図１０は本実施形態に係る投影システムの他の例の処理ブロック図である。図１０の処理ブロック図は、図４の端末装置２０の設定要求部２２が無い構成である。
【００５０】
《画像投影装置１０》
画像投影装置１０はプログラムを実行することで、通信部１１、設定登録部１２、記憶部１３、比較部１４、合成部１５、投影部１６、生成部１７を実現している。設定登録部１２は操作部５６からの利用者の設定要求に応じて、投影することが望ましくない情報が含まれる画像を投影制限パターンとして登録する。このように、利用者による投影制限パターンの設定要求は画像投影装置１０の操作部５６から行うことができる。なお、設定登録部１２の処理以外は、図４の画像投影装置１０と同様であるため、説明を省略する。
【００５１】
《端末装置２０》
端末装置２０はプログラムを実行することで、通信部２１、記憶部２３、投影要求部２４を実現している。端末装置２０は図４の設定要求部２２が無い構成である。記憶部２３は画像投影装置１０に投影させる画像を記憶する。その他の構成は、図４の端末装置２０と同様であるため、説明を省略する。
【００５２】
＜処理の詳細＞
以下では、本実施形態に係る投影システム１の処理の詳細について、第１の実施形態との違いを中心に説明する。なお、第１の実施形態と第２の実施形態とは投影制限パターン登録処理が異なる。第２の実施形態における投影制限パターン登録処理は画像投影装置１０の操作部５６から行われるため、図５のシーケンス図と異なる。
【００５３】
端末装置２０から画像投影装置１０へは、例えば画像投影装置１０で利用者から投影制限パターンの指定を受け付けるために必要な画像が送信される。画像投影装置１０は図７に示すような投影制限パターン登録画面を投影し、操作部５６から投影制限パターンの指定を利用者から受け付ける。そして、画像投影装置１０は投影制限パターンを記憶部１３に記憶する。なお、投影処理は第１の実施形態と同様であるため、説明を省略する。
【００５４】
＜まとめ＞
第２の実施形態に係る投影システム１によれば、第１の実施形態の効果に加えて、画像投影装置１０で投影制限パターン登録処理を行うことができる。
［第３の実施形態］
第３の実施形態は、第１の実施形態の重要な情報が読み取れないように加工するまでの処理を端末装置２０で行うものである。第３の実施形態は、第１の実施形態と一部を除いて同様であるため、同一部分について説明を省略する。
【００５５】
＜ソフトウェア構成＞
図１１は本実施形態に係る投影システムの他の例の処理ブロック図である。図１１の処理ブロック図は、図４の画像投影装置１０の処理ブロックの一部を端末装置２０に備えさせる構成である。
【００５６】
《画像投影装置１０》
画像投影装置１０はプログラムを実行することで、通信部１１、投影部１６、生成部１７を実現している。このように、第３の実施携帯の画像投影装置１０は端末装置２０から受信した画像を投影する。なお、画像投影装置１０が受信した画像を投影する処理は前述しているため、説明を省略する。
【００５７】
《端末装置２０》
端末装置２０はプログラムを実行することで、通信部２１、記憶部２３、投影要求部２４、設定登録部２５、比較部２６、合成部２７を実現している。
【００５８】
設定登録部２５は、利用者が操作する入力装置１０１からの設定要求に応じて、投影することが望ましくない情報が含まれる画像を、投影制限パターンとして記憶部２３に登録する。記憶部２３は画像投影装置１０に投影させる画像、投影制限パターンを記憶する。
【００５９】
比較部２６は利用者からの投影要求に応じて、投影要求のあった画像と、記憶部２３に記憶されている投影制限パターン（登録画像）とが一致するか否かを判定する。比較部２６による投影要求のあった画像と登録画像との比較は、例えば端末装置２０の表示装置１０２に表示されている画面が変化したときに行われる。
【００６０】
合成部２７は比較部２６による比較結果が、投影要求のあった画像と登録画像との一致を示すとき、投影要求のあった画像に重要な情報が含まれているか、これから重要な情報が入力される入力欄が含まれていると見なして、投影要求のあった画像に含まれる重要な情報、又は、これから入力欄に入力される重要な情報が読み取れないように、投影要求のあった画像を加工する。投影要求部２４は合成部２７によって加工された画像の投影を画像投影装置１０に要求する。
【００６１】
＜処理の詳細＞
以下では、本実施形態に係る投影システム１の処理の詳細について、第１の実施形態との違いを中心に説明する。なお、第３の実施形態は重要な情報が読み取れないように加工するまでの処理を端末装置２０で行うことが第１の実施形態と異なる。
【００６２】
《投影制限パターン登録処理》
第３の実施形態における端末装置２０は、図７に示すような投影制限パターン登録画面から投影制限パターンの指定を利用者から受け付ける。端末装置２０は利用者から受け付けた投影制限パターンを記憶部２３に記憶する。
【００６３】
《投影処理》
端末装置２０は利用者から画像の投影要求を受け付ける。端末装置２０は利用者からの投影要求に応じて、記憶部２３から投影制限パターンとして登録画像を読み出す。端末装置２０は投影要求のあった画像と、記憶部２３から読み出した登録画像とを比較し、一致するか否かを判定する。
【００６４】
端末装置２０は比較結果が投影要求のあった画像と登録画像との一致を示すとき、登録要求のあった画像に含まれる重要な情報、又は、これから入力欄に入力される重要な情報が読み取れないように、投影要求のあった画像を加工する。端末層２０は、重要な情報が読み取れないように加工した、投影要求のあった画像の投影を、画像投影装置１０に要求する。画像投影装置１０は重要な情報が読み取れないように加工した、投影要求のあった画像を投影する。なお、第１の実施形態と同様な部分は、説明を省略する。
【００６５】
＜まとめ＞
第３の実施形態に係る投影システム１によれば、第１の実施形態の効果に加えて、重要な情報が読み取れないように加工したあとで画像がネットワークを流れるため、悪意のある第三者に盗聴される危険を軽減できる。
【００６６】
本発明は、具体的に開示された上記の実施形態に限定されるものではなく、特許請求の範囲から逸脱することなく、種々の変形や変更が可能である。
【符号の説明】
【００６７】
１    投影システム
１０    画像投影装置
１１、２１    通信部
１２、２５    設定登録部
１３、２３    記憶部
１４、２６    比較部
１５、２７    合成部
１６    投影部
１７    生成部
２０    端末装置
２２    設定要求部
２４    投影要求部
５１、１０４    ＲＡＭ
５２、１０６    ＣＰＵ
５３    フラッシュメモリ
５４、１０７    通信Ｉ／Ｆ
５５    ＥＥＰＲＯＭ
５６    操作部
５７    映像入力部
５８    映像出力部
５９    ランプ
１０１    入力装置
１０２    表示装置
１０３    外部Ｉ／Ｆ
１０５    ＲＯＭ
１０８    ＨＤＤ
Ｎ１    ネットワーク
Ｂ    バス
【先行技術文献】
【特許文献】
【００６８】
【特許文献１】特開２００８−７７３０１号公報
【図１】
2013195913.tif 000003
【図２】
2013195913.tif 000004
【図３】
2013195913.tif 000005
【図４】
2013195913.tif 000006
【図５】
2013195913.tif 000007
【図６】
2013195913.tif 000008
【図７】
2013195913.tif 000009
【図８】
2013195913.tif 000010
【図９】
2013195913.tif 000011
【図１０】
2013195913.tif 000012
【図１１】
2013195913.tif 000013